(57)【特許請求の範囲】
【請求項１】
ユーザが触れたことを検知する検知手段と、
前記検知手段により検知した検知箇所の移動距離と、移動時間から移動速度を算出する移動速度算出手段と、
複数のデータを次々と送りながら表示する頁送り手段と、を備え、
前記頁送り手段は、予め決められた頁送り速度でデータを送りながら表示し、前記移動速度算出手段で算出した移動速度に応じて減速率を決定し、前記頁送り速度を次第に減速しながら表示することを特徴とする携帯端末。
【請求項２】
前記頁送り手段は、頁送り中に、前記検知手段により再びユーザが触れたことが検知されると頁送りを停止することを特徴とする請求項１記載の携帯端末。
【請求項３】
前記頁送り手段は、頁送り速度が閾値未満になると頁送りを停止することを特徴とする請求項１記載の携帯端末。
【請求項４】
前記移動速度の複数の閾値と、前記減速率と、を関連づけて記憶する減速率記憶手段を備え、
前記頁送り手段は、前記減速率記憶手段から前記移動速度算出手段で算出した移動速度に応じた減速率を決定し、前記頁送り速度を次第に減速しながら表示することを特徴とする請求項１から３のいずれか１項に記載の携帯端末。
【請求項５】
前記頁送り手段は、複数のデータを等間隔で飛ばしながら表示することを特徴とする請求項１から４のいずれか１項に記載の携帯端末。
【請求項６】
前記頁送り手段は、前記検知手段による検知箇所の移動方向に従ってデータの送る順番を逆転させることを特徴とする請求項１から５のいずれか１項に記載の携帯端末。
【請求項７】
頁送りが停止された時点で、２つ以上のデータが表示されていると、バウンドするように逆方向に１つのデータとなるまで頁を送ることを特徴とする請求項１から６のいずれか１項に記載の携帯端末。
【請求項８】
ユーザが触れたことを検知する検知ステップと、
前記検知ステップにより検知した検知箇所の移動距離と、移動時間から移動速度を算出する移動速度算出ステップと、
複数のデータを次々と送りながら表示する頁送りステップと、を備え、
前記頁送りステップは、予め決められた頁送り速度でデータを送りながら表示し、前記移動速度算出ステップで算出した移動速度に応じて減速率を決定し、前記頁送り速度を次第に減速しながら表示することを特徴とする携帯端末の頁送り方法。
【請求項９】
ユーザが触れたことを検知する検知処理と、
前記検知処理により検知した検知箇所の移動距離と、移動時間から移動速度を算出する移動速度算出処理と、
複数のデータを次々と送りながら表示する頁送り処理と、を備え、
前記頁送り処理は、予め決められた頁送り速度でデータを送りながら表示し、前記移動速度算出処理で算出した移動速度に応じて減速率を決定し、前記頁送り速度を次第に減速しながら表示することを特徴とするコンピュータに実行させるプログラム。
【発明の詳細な説明】
【技術分野】
【０００１】
本発明は、タッチパネルを用いて操作を行う携帯端末、携帯端末の頁送り方法、及びプログラムに関する。
【背景技術】
【０００２】
近年、端末に保持することのできるデータ量は増加しており、それに伴ってユーザの扱うデータ量も増加している。そのため、ユーザは、一度に多くのデータを扱うことが増えてきている。
しかしながら、従来の携帯端末ではページを送る際、一度の操作に対して決まったページ数しか送ることができず、ユーザの操作に対する負担は増大していた。
例えば、１回の操作で１ページしか送れない場合は、めくりたい画面数・画像数分だけ操作の必要があり、負担も大きく面倒であった。
そこで、例えば特許文献１では、指定領域上でタッチされた位置及びタッチ時間とを監視し、長時間同じ位置をタッチしていた場合には、複数頁を移動させ、位置を移動させた場合には、移動方向、移動距離とに基づいて、頁送りの方向を決定し、頁送りを行う頁送り制御方式について記載されている。
【特許文献１】特開昭６３−３６４２６号公報
【発明の開示】
【発明が解決しようとする課題】
【０００３】
しかしながら、特許文献１に記載の発明では、同じ位置をタッチし続け、複数頁を移動させる際には、同様の速度で頁が送られることになり、例えば、速すぎて所望の頁をすぎてしまったり、逆に頁送り速度が遅すぎて所望の頁にたどり着くまでに多くの時間が必要となってしまっていた。
そこで本発明は、上記問題点に鑑みてなされたもので、一度の移動操作において、所望の頁を見つけることのできる携帯端末を提供することを目的とする。
【課題を解決するための手段】
【０００４】
上記課題を解決するため、本発明における携帯端末は、ユーザが触れたことを検知する検知手段と、検知手段により検知した検知箇所の移動距離と、移動時間から移動速度を算出する移動速度算出手段と、複数のデータを次々と送りながら表示する頁送り手段と、を備え、頁送り手段は、予め決められた頁送り速度でデータを送りながら表示し、移動速度算出手段で算出した移動速度に応じて減速率を決定し、頁送り速度を次第に減速しながら表示することを特徴とする。
また、本発明における携帯端末の頁送り方法は、ユーザが触れたことを検知する検知ステップと、検知ステップにより検知した検知箇所の移動距離と、移動時間から移動速度を算出する移動速度算出ステップと、複数のデータを次々と送りながら表示する頁送りステップと、を備え、頁送りステップは、予め決められた頁送り速度でデータを送りながら表示し、移動速度算出ステップで算出した移動速度に応じて減速率を決定し、頁送り速度を次第に減速しながら表示することを特徴とする。
また、本発明におけるプログラムは、ユーザが触れたことを検知する検知処理と、検知処理により検知した検知箇所の移動距離と、移動時間から移動速度を算出する移動速度算出処理と、複数のデータを次々と送りながら表示する頁送り処理と、を備え、頁送り処理は、予め決められた頁送り速度でデータを送りながら表示し、移動速度算出処理で算出した移動速度に応じて減速率を決定し、頁送り速度を次第に減速しながら表示することを特徴とする。
【発明の効果】
【０００５】
本発明により、ユーザの操作速度を頁送り速度に反映させることで、ユーザの操作に追随した画面・画像の頁送りが可能となり、携帯端末の操作性を向上させることができる。
【図面の簡単な説明】
【０００６】
【図１】本発明の実施形態に係る携帯端末の構成図である。
【図２】本発明の実施形態に係る携帯端末の機能ブロック図である。
【図３】本発明の実施形態に係る携帯端末の頁送り処理を説明する図である。
【図４】頁送り処理のフローチャート図である。
【図５】バウンス処理の説明図（頁送り停止直前）である。
【図６】バウンス処理の説明図（頁送り停止後）である。
【発明を実施するための最良の形態】
【０００７】
次に、発明を実施するための最良の形態について図面を参照して詳細に説明する。
図１は、本発明の実施形態におけるタッチパネル搭載携帯端末の構成図である。タッチパネル搭載携帯端末１は、タッチパネル２と、を有して構成される。
タッチパネル２は、液晶表示パネルやＣＲＴ（陰極線管）などの表示画面上に、備えられ、ペンや指先などで押圧されることによってユーザの入力を受け付ける。
なお、タッチパネルには幾つかの方式があるが、その範囲としては種類を問わず、また、他の入力デバイスの手段として、キーボードエリアやその他、さらにはそれらを備えた別の連結ユニットを具備する電子機器形態である場合も含む。
図２は、本発明の実施形態におけるタッチパネル搭載携帯端末の機能ブロック図である。本タッチパネル搭載携帯端末は、検知部１１と、速度計測部１２と、頁送り部１３と、表示部（ＬＣＤ）１４と、を有して構成される。
検知部１１は、接触位置など操作意図を検知する入力デバイスであるタッチパネルにおいて、該タッチパネルにユーザが触れたことを検知する。表示部１４は、タッチパネルの後ろに備えられ、機能や操作に関する画面、あるいは画像を背部に設けられたバックライトが点灯することにより表示する。
また、速度計測部１２は、指が移動したときの移動距離と、その移動に要した移動時間と、から移動速度を算出する。なお、指が移動した全移動距離に対する移動時間から移動速度を算出しても良いし、予め指の移動速度の算出距離を一定範囲に絞っておいても良い。
頁送り部１３は、速度計測部１２にて算出した移動速度に応じて減速率を決定し、予め決められた頁送り速度から減速率に応じて頁送り速度を減速させる。その後、閾値未満になったか、あるいは再び指がタッチパネルに触れられた場合に頁送りを停止する。
すなわち、指の移動が速い（指をはらった）ときは、高い減速率を選択し、送られる頁数は少なく、ゆっくりと頁が送られる。一方、指をゆっくりと移動させたときには、低い減速率が選択され、高速で送られる頁数が多くなり、後ろの方の頁数のデータを見つけ出すのに有効である。なお、逆に指をはらったときに低い減速率を選択し、長期間の高速頁送りを実現してもよい。
また、選択される減速率は、指の移動速度の複数の閾値毎にテーブルを設けて各減速率を選択するよう構成してもよいが、これに限ることはなく、指の移動速度が一定値を超えるか否かによって２つの減速率のどちらかを選択するよう構成してもよい。
最初の頁送り速度及び減速率については、ユーザが任意に決めることができ、例えば、最初の頁送り速度を５枚／１秒とし、指をはらったときは減速率を−２枚／秒、指をゆっくり移動したときは減速率を−１枚／秒のように設定することが可能である。
なお、頁送りは、全頁をスライドさせるよう送ってもよいし、所定時間毎に複数の頁を飛ばすように送ってもよい。
また、指の移動方向によって、頁は送るか、あるいは戻すかが判断される。すなわち、タッチパネルにおいてＸ軸正方向に指が移動すれば、頁送り動作が行われ、Ｘ軸負方向に指が移動すれば頁戻し動作が行われる。なお、Ｙ軸に対して同様に移動方向によって頁の進退を変更するよう構成してもよい。
次に、本発明の実施形態における携帯端末の頁送り動作について詳細に説明する。図３は、本実施形態における頁送り動作の概念図である。
すなわち、タッチパネル２の画面上に操作する指３が触れられ、移動を開始すると進んだ距離４とその移動時間５とから移動速度が算出され、同時に予め決められている頁送り速度に従って頁送りが開始される。その後、算出した移動速度を基に決定した減速率を用いて頁送り速度を減速していき、閾値速度未満になると頁送りが停止する。また、頁送り中にユーザがタッチパネルを触れることでも頁送りを停止する。
図４は、本発明の実施形態における携帯端末の頁送り動作のフローチャート図である。タッチパネルに指が置かれ、移動したことが検知されると（ステップＳ１）、移動距離と移動時間から指の移動速度を算出する（ステップＳ２）。
決められた頁送り速度に基づいて頁送りを開始し（ステップＳ３）、算出した移動速度から頁送り速度の減速率を決定する（ステップＳ４）。決定した減速率に基づいて、送られている頁の送り速度を減速していく（ステップＳ５）。
ここで、タッチパネルに再び触れられたか否かを判断し（ステップＳ６）、頁送りが行われている最中にタッチパネルに触れられた場合には、頁送りを停止する（ステップＳ８）。ユーザからのタッチ操作がない場合には、頁送り速度が減速され閾値未満に到達したか否かを判断し（ステップＳ７）、頁送り速度が閾値未満になれば、頁送りを停止する（ステップＳ８）。
図５及び図６は、頁の送り途中に頁送り速度が閾値未満になり、頁送りが停止されたときの動作を説明する図である。図５は、頁送りを停止する瞬間の表示画面を示し、図６は、頁送り停止後の図を示している。
頁送りを停止したときに、ページ送り数が整数でなかった場合には、小数部分だけ画像を進め、跳ね返って全画面に戻る場合を示す。すなわち、２つの画像（次頁である画像５２と表示頁５１）が、表示部に表示された状態で頁送りが停止された場合には、画像５１が全画面に表示されるように、画像５２は頁送り方向と逆方向にバウンドするように表示された分だけ戻る（バウンス処理）。
本発明の実施形態によれば、タッチパネルを有した携帯端末で、画面や画像のページ送りをする際に、少ない動作でユーザの所望するスピードにて画面や画像のページ送りをすることができる。
すなわち、ユーザの操作でページ送りを開始し、任意で与える停止閾値速度までページ送り速度を減速させ、その速度変化をページ送り数に反映させることで、ユーザの操作に追随した画面・画像のページ送りが可能となる。
また、直感的に操作できるといった、タッチパネルの優れた特徴も向上させることが出来る。
本発明の実施形態は、携帯電話に限らず、任意のタッチパネルを用いた端末で実施可能であり、指だけの操作ではなく、タッチペンやその他タッチできる物品で実施可能である。また、画像のページ送りだけでなく、キーや項目を選択する全ての利用シーンで実施可能である。また、ページ送り数が整数でなかった場合に、バウンス動作だけでなく、小数部分を切り捨て、あるいは切り上げする方法でもページ送りが実施可能である。
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
この出願は２００８年１１月１１日に出願された日本特許出願特願２００８−２８９２３２を基礎とする優先権を主張し、その開示の全てをここに取り込む。
【産業上の利用可能性】
【０００８】
本発明は、タッチパネルを用いて操作を行う携帯端末および携帯機器に適用できる。
【符号の説明】
【０００９】
１  携帯端末
２  タッチパネル
１１  検知部
１２  速度計測部
１３  頁送り部
１４  表示部
【図１】
0005387582.tif 000002
【図２】
0005387582.tif 000003
【図３】
0005387582.tif 000004
【図４】
0005387582.tif 000005
【図５】
0005387582.tif 000006
【図６】
0005387582.tif 000007